(57)【要約】【課題】  情報受信者に係る状況に合わせて提供する情報を変更することができ、もって、情報受信者の状況に合った情報提供が可能な情報提供方法およびシステム、プログラムおよび記録媒体を提供する。【解決手段】  コンテンツと、および該コンテンツの公開の開始／終了のタイミングを表すコンテンツ公開開始／終了条件と、を含むコンテンツ情報を蓄積するコンテンツ情報蓄積手段と、公開するユーザの同伴者、該ユーザの現在地、現在地の天候、現在時刻、のうちの少なくとも一つを含むユーザ状況情報を収集するコンテキスト収集手段と、コンテンツの公開開始条件とユーザ状況情報との合致の有無を判定し、該判定が合致の場合にユーザの表示用データ管理手段にコンテンツの表示指示を送るコンテキスト合致判断手段と、コンテキスト合致判断手段から表示指示を受信して情報表示部にてコンテンツを表示することを指示する表示用データ管理手段と、を備える。【選択図】      図１
2006065650.tif 000002
【特許請求の範囲】
【請求項１】
ユーザの状況に応じたコンテンツを該ユーザへ公開し提供するための情報提供方法であって、
前記コンテンツと、および該コンテンツの公開の開始／終了のタイミングを表すコンテンツ公開開始／終了条件と、を含むコンテンツ情報をコンテンツ情報蓄積手段に蓄積するステップと、
前記公開する前記ユーザの同伴者、該ユーザの現在地、前記現在地の天候、現在時刻、のうちの少なくとも一つを含むユーザ状況情報をコンテキスト収集手段により収集するステップと、
前記コンテンツの公開開始条件と前記ユーザ状況情報との合致の有無を判定し、該判定が合致の場合に前記ユーザの表示用データ管理手段に前記コンテンツの表示指示をコンテキスト合致判断手段が送るステップと、
前記コンテキスト合致判断手段から表示指示を受信して情報表示部にて前記コンテンツを表示することを表示用データ管理手段が指示するステップと、
を有することを特徴とする情報提供方法。
【請求項２】
ユーザの状況に応じたコンテンツを該ユーザへ公開し提供するための情報提供方法であって、
前記コンテンツと、および該コンテンツの公開の開始／終了のタイミングを表すコンテンツ公開開始／終了条件と、を含むコンテンツ情報をコンテンツ情報蓄積手段に蓄積するステップと、
前記公開する前記ユーザの同伴者、該ユーザの現在地、前記現在地の天候、現在時刻、のうちの少なくとも一つを含むユーザ状況情報をコンテキスト収集手段により収集するステップと、
前記コンテンツの公開終了条件と前記ユーザ状況情報との合致の有無を判定し、該判定が合致の場合に前記ユーザの表示用データ管理手段に前記コンテンツの非表示指示をコンテキスト合致判断手段が送るステップと、
前記コンテキスト合致判断手段から非表示指示を受信して情報表示部にて前記コンテンツを非表示とすることを表示用データ管理手段が指示するステップと、
を有することを特徴とする情報提供方法。
【請求項３】
前記コンテンツ情報は、
前記コンテンツを公開する対象となる前記ユーザの条件として公開先情報を含み、
前記ユーザの属するユーザ属性情報をユーザ情報管理手段が蓄積し管理するステップと、
前記ユーザ属性情報と前記公開先情報の合致を判断して該コンテンツを公開する対象となる前記ユーザを前記コンテキスト合致判断手段が決定するステップと、
を含むことを特徴とする請求項１または２のいずれかに記載の情報提供方法。
【請求項４】
前記コンテンツは、前記公開に伴い前記ユーザにより確認されたか否かの有無がコンテンツ確認監視手段によって監視され、
該コンテンツが確認されていない場合に、確認の有無を示すユーザ確認情報が無であることを確認ログ管理手段に保存するステップと、
前記コンテキスト合致判断手段は前記ユーザ確認情報を取得し、該ユーザ確認情報が無であって、且つ前記コンテンツの公開開始とユーザ状況情報が合致する場合において、前記表示用データ管理手段にコンテンツ情報を再表示するための表示指示を送るステップと、
を含むことを特徴とする請求項１〜３のいずれかに記載の情報提供方法。
【請求項５】
前記ユーザからの前記コンテンツの再表示の要求の有無を示すコンテンツ再表示要求情報を受信し、リマインダ要求受信手段によってコンテンツ再表示要求情報管理手段に保存するステップと、
前記コンテキスト合致判断手段が前記コンテンツの表示可否を判断する際に、前記コンテンツ再表示要求情報管理手段に前記コンテンツ再表示要求情報の有無を確認し、該コンテンツに対する前記コンテンツ再表示要求情報が有で、且つ前記コンテンツの公開開始と前記コンテキスト収集手段により収集した前記ユーザ状況情報とが合致した場合に、前記表示用データ管理手段にコンテンツ情報を再表示するための表示指示を送るステップと、
を含むことを特徴とする請求項１〜４のいずれかに記載の情報提供方法。
【請求項６】
前記表示指示は、
前記コンテンツの表示を許容する情報である表示フラグ情報を含むことを特徴とする請求項１〜５のいずれかに記載の情報提供方法。
【請求項７】
前記非表示指示は、
前記コンテンツの表示を許容する情報である表示フラグの削除を含むことを特徴とする請求項１〜５のいずれかに記載の情報提供方法。
【請求項８】
前記非表示指示は、
前記コンテンツの削除を含むことを特徴とする請求項１〜５のいずれかに記載の情報提供方法。
【請求項９】
前記コンテンツは、
広告情報であることを特徴とする請求項１〜８のいずれかに記載の情報提供方法。
【請求項１０】
前記広告情報は、
電子クーポンを含むことを特徴とする請求項９に記載の情報提供方法。
【請求項１１】
ユーザの状況に応じたコンテンツを該ユーザへ公開し提供するための情報提供システムであって、
前記コンテンツと、および該コンテンツの公開の開始／終了のタイミングを表すコンテンツ公開開始／終了条件と、を含むコンテンツ情報を蓄積するコンテンツ情報蓄積手段と、
前記公開する前記ユーザの同伴者、該ユーザの現在地、前記現在地の天候、現在時刻、のうちの少なくとも一つを含むユーザ状況情報を収集するコンテキスト収集手段と、
前記コンテンツの公開開始条件と前記ユーザ状況情報との合致の有無を判定し、該判定が合致の場合に前記ユーザの表示用データ管理手段に前記コンテンツの表示指示を送るコンテキスト合致判断手段と、
前記コンテキスト合致判断手段から表示指示を受信して情報表示部にて前記コンテンツを表示することを指示する表示用データ管理手段と、
を備えることを特徴とする情報提供システム。
【請求項１２】
ユーザの状況に応じたコンテンツを該ユーザへ公開し提供するための情報提供システムであって、
前記コンテンツと、および該コンテンツの公開の開始／終了のタイミングを表すコンテンツ公開開始／終了条件と、を含むコンテンツ情報を蓄積するコンテンツ情報蓄積手段と、
前記公開する前記ユーザの同伴者、該ユーザの現在地、前記現在地の天候、現在時刻、のうちの少なくとも一つを含むユーザ状況情報を収集するコンテキスト収集手段と、
前記コンテンツの公開終了条件と前記ユーザ状況情報との合致の有無を判定し、該判定が合致の場合に前記ユーザの表示用データ管理手段に前記コンテンツの非表示指示を送るコンテキスト合致判断手段と、
前記コンテキスト合致判断手段から非表示指示を受信して情報表示部にて前記コンテンツを非表示とすることを指示する表示用データ管理手段と、
を備えることを特徴とする情報提供システム。
【請求項１３】
前記コンテンツ情報は、
前記コンテンツを公開する対象となる前記ユーザの条件として公開先情報を含み、
前記ユーザの属するユーザ属性情報を蓄積し管理するユーザ情報管理手段と、
前記ユーザ属性情報と前記公開先情報の合致を判断して該コンテンツを公開する対象となる前記ユーザを決定する前記コンテキスト合致判断手段と、
を備えることを特徴とする請求項１１または１２のいずれかに記載の情報提供システム。
【請求項１４】
前記コンテンツは、前記公開に伴い前記ユーザにより確認されたか否かの有無がコンテンツ確認監視手段によって監視され、
該コンテンツが確認されていない場合に、確認の有無を示すユーザ確認情報が無であることを保存する確認ログ管理手段と、
前記ユーザ確認情報を取得し、該ユーザ確認情報が無であって、且つ前記コンテンツの公開開始とユーザ状況情報が合致する場合において、前記表示用データ管理手段にコンテンツ情報を再表示するための表示指示を送る前記コンテキスト合致判断手段と、
を備えることを特徴とする請求項１１〜１３のいずれかに記載の情報提供システム。
【請求項１５】
前記ユーザからの前記コンテンツの再表示の要求の有無を示すコンテンツ再表示要求情報を受信し、コンテンツ再表示要求情報管理手段に保存するリマインダ要求受信手段と、
前記コンテンツの表示可否を判断する際に、前記コンテンツ再表示要求情報管理手段に前記コンテンツ再表示要求情報の有無を確認し、該コンテンツに対する前記コンテンツ再表示要求情報が有で、且つ前記コンテンツの公開開始と前記コンテキスト収集手段により収集した前記ユーザ状況情報とが合致した場合に、前記表示用データ管理手段にコンテンツ情報を再表示するための表示指示を送る前記コンテキスト合致判断手段と、
を備えることを特徴とする請求項１１〜１４のいずれかに記載の情報提供システム。
【請求項１６】
前記表示指示は、
前記コンテンツの表示を許容する情報である表示フラグ情報を含むことを特徴とする請求項１１〜１５のいずれかに記載の情報提供システム。
【請求項１７】
前記非表示指示は、
前記コンテンツの表示を許容する情報である表示フラグの削除を含むことを特徴とする請求項１１〜１５のいずれかに記載の情報提供システム。
【請求項１８】
前記非表示指示は、
前記コンテンツの削除を含むことを特徴とする請求項１１〜１５のいずれかに記載の情報提供システム。
【請求項１９】
前記コンテンツは、
広告情報であることを特徴とする請求項１１〜１８のいずれかに記載の情報提供システム。
【請求項２０】
前記広告情報は、
電子クーポンを含むことを特徴とする請求項１９に記載の情報提供システム。
【請求項２１】
ユーザの状況に応じたコンテンツを該ユーザへ公開し提供するための情報提供プログラムであって、
前記コンテンツと、および該コンテンツの公開の開始／終了のタイミングを表すコンテンツ公開開始／終了条件と、を含むコンテンツ情報をコンテンツ情報蓄積手段に蓄積するステップと、
前記公開する前記ユーザの同伴者、該ユーザの現在地、前記現在地の天候、現在時刻、のうちの少なくとも一つを含むユーザ状況情報をコンテキスト収集手段により収集するステップと、
前記コンテンツの公開開始条件と前記ユーザ状況情報との合致の有無を判定し、該判定が合致の場合に前記ユーザの表示用データ管理手段に前記コンテンツの表示指示をコンテキスト合致判断手段が送るステップと、
前記コンテキスト合致判断手段から表示指示を受信して情報表示部にて前記コンテンツを表示することを表示用データ管理手段が指示するステップと、
を有することを特徴とする情報提供プログラム。
【請求項２２】
ユーザの状況に応じたコンテンツを該ユーザへ公開し提供するための情報提供プログラムであって、
前記コンテンツと、および該コンテンツの公開の開始／終了のタイミングを表すコンテンツ公開開始／終了条件と、を含むコンテンツ情報をコンテンツ情報蓄積手段に蓄積するステップと、
前記公開する前記ユーザの同伴者、該ユーザの現在地、前記現在地の天候、現在時刻、のうちの少なくとも一つを含むユーザ状況情報をコンテキスト収集手段により収集するステップと、
前記コンテンツの公開終了条件と前記ユーザ状況情報との合致の有無を判定し、該判定が合致の場合に前記ユーザの表示用データ管理手段に前記コンテンツの非表示指示をコンテキスト合致判断手段が送るステップと、
前記コンテキスト合致判断手段から非表示指示を受信して情報表示部にて前記コンテンツを非表示とすることを表示用データ管理手段が指示するステップと、
を有することを特徴とする情報提供プログラム。
【請求項２３】
前記コンテンツ情報は、
前記コンテンツを公開する対象となる前記ユーザの条件として公開先情報を含み、
前記ユーザの属するユーザ属性情報をユーザ情報管理手段が蓄積し管理するステップと、
前記ユーザ属性情報と前記公開先情報の合致を判断して該コンテンツを公開する対象となる前記ユーザを前記コンテキスト合致判断手段が決定するステップと、
を含むことを特徴とする請求項２１または２２のいずれかに記載の情報提供プログラム。
【請求項２４】
前記コンテンツは、前記公開に伴い前記ユーザにより確認されたか否かの有無がコンテンツ確認監視手段によって監視され、
該コンテンツが確認されていない場合に、確認の有無を示すユーザ確認情報が無であることを確認ログ管理手段に保存するステップと、
前記コンテキスト合致判断手段は前記ユーザ確認情報を取得し、該ユーザ確認情報が無であって、且つ前記コンテンツの公開開始とユーザ状況情報が合致する場合において、前記表示用データ管理手段にコンテンツ情報を再表示するための表示指示を送るステップと、
を含むことを特徴とする請求項２１〜２３のいずれかに記載の情報提供プログラム。
【請求項２５】
前記ユーザからの前記コンテンツの再表示の要求の有無を示すコンテンツ再表示要求情報を受信し、リマインダ要求受信手段によってコンテンツ再表示要求情報管理手段に保存するステップと、
前記コンテキスト合致判断手段が前記コンテンツの表示可否を判断する際に、前記コンテンツ再表示要求情報管理手段に前記コンテンツ再表示要求情報の有無を確認し、該コンテンツに対する前記コンテンツ再表示要求情報が有で、且つ前記コンテンツの公開開始と前記コンテキスト収集手段により収集した前記ユーザ状況情報とが合致した場合に、前記表示用データ管理手段にコンテンツ情報を再表示するための表示指示を送るステップと、
を含むことを特徴とする請求項２１〜２４のいずれかに記載の情報提供プログラム。
【請求項２６】
前記表示指示は、
前記コンテンツの表示を許容する情報である表示フラグ情報を含むことを特徴とする請求項２１〜２５のいずれかに記載の情報提供プログラム。
【請求項２７】
前記非表示指示は、
前記コンテンツの表示を許容する情報である表示フラグの削除を含むことを特徴とする請求項２１〜２５のいずれかに記載の情報提供プログラム。
【請求項２８】
前記非表示指示は、
前記コンテンツの削除を含むことを特徴とする請求項２１〜２５のいずれかに記載の情報提供プログラム。
【請求項２９】
前記コンテンツは、
広告情報であることを特徴とする請求項２１〜２８のいずれかに記載の情報提供プログラム。
【請求項３０】
前記広告情報は、
電子クーポンを含むことを特徴とする請求項２９に記載の情報提供プログラム。
【請求項３１】
ネットワーク上に配置されたサーバにインストールして実行可能なことを特徴とする請求項２１〜３０のいずれかに記載の情報提供プログラム。
【請求項３２】
請求項２１〜３１のいずれかに記載の情報提供プログラムを記録したことを特徴とする記録媒体。
【発明の詳細な説明】
【技術分野】
【０００１】
本発明は、情報提供技術の分野に関し、特には情報受信者の状況（場所、天候、時間帯、同伴者や行動履歴）にあわせた広告やメッセージの情報提供方法およびシステム、プログラムおよび記録媒体に関する。
【背景技術】
【０００２】
従来において、様々な種類の情報を情報受信者の要求に応じて提供することが実現されている。たとえば、特開２００１−３４５７６７号公報“情報表示システム及び表示端末”に参照されるように、パソコン、携帯電話、スーパー・コンビニのレジ等の表示装置に広告情報を配信するシステムに対し、表示された情報を掲載期限や情報受信者が予め契約した条件に基づき、表示を消去するシステムが提案されている。（特許文献１参照）。
【０００３】
また携帯可能な携帯情報端末に対して、広告やメッセージなどの情報配信を情報受信者の場所や情報受信者が希望する時間帯に基づき配信するサービスが実現されている。たとえば、新宿にいるときに、新宿のお勧め情報が配信される。
【０００４】
これにより、情報受信者はその時の情報受信者にあった情報を電子メールにより受信でき、情報提供者は、情報受信者に煩わしく感じさせない情報を配信することができる。（非特許文献１参照）。
【０００５】
その他、携帯情報端末から登録された口コミ情報に対して、登録時のユーザの位置、天候、同伴者、登録者の訪問履歴などを自動的に付与するとともに、登録された口コミ情報やメッセージなどを、情報受信者の状況（同伴者や天候など）に基づいて共有するシステムが提案されている。（非特許文献２参照）。
【特許文献１】特開２００１−３４５７６７号公報、「情報表示システム及び表示端末」、ミノルタ株式会社
【非特許文献１】「グーパス：Ｇｏｏｐａｓ」サービス、小田急電鉄株式会社、インターネット＜http://www.goopas.jp/confirmation_g.html＞、[２００４年６月１日検索]
【非特許文献２】「位置情報に基づくコンテキスト生成方式」、末田欣子他５名著、社団法人映像情報メディア学会技術報告、コンシューマエレクトロニクス、映情学技報、Ｖｏｌ．２８、Ｎｏ．２４、ＩＳＳＮ  １３４２−６８９３、２００４年４月２３日発行、ｐ.２９−３５
【発明の開示】
【発明が解決しようとする課題】
【０００６】
しかしながら、従来の技術においては、掲載期間などについて情報配信者が予め契約した条件に基づき情報配信を行うので、情報受信者の状況に必ずしも適した情報配信ができていなかった。
【０００７】
また、情報配信されたときに情報受信者が多忙であったり、情報が着信したことに気づかないような状況にいる時など、受信した情報をすぐに閲覧できない場合も多く、結果として、閲覧時点で、状況と合っていない情報を確認することになるという問題点があった。
【０００８】
また、一度閲覧してしまった情報を、状況が合った時に再度閲覧しても、情報の鮮度に欠けるという問題点があった。
【０００９】
このような課題に鑑み、本発明は、情報受信者に係る状況に合わせて提供する情報を変更することができ、もって、情報受信者の状況に合った情報提供が可能な情報提供方法およびシステム、プログラムおよび記録媒体を提供することを目的とする。
【課題を解決するための手段】
【００１０】
請求項１に記載の本発明は、ユーザの状況に応じたコンテンツを該ユーザへ公開し提供するための情報提供方法であって、前記コンテンツと、および該コンテンツの公開の開始／終了のタイミングを表すコンテンツ公開開始／終了条件と、を含むコンテンツ情報をコンテンツ情報蓄積手段に蓄積するステップと、前記公開する前記ユーザの同伴者、該ユーザの現在地、前記現在地の天候、現在時刻、のうちの少なくとも一つを含むユーザ状況情報をコンテキスト収集手段により収集するステップと、前記コンテンツの公開開始条件と前記ユーザ状況情報との合致の有無を判定し、該判定が合致の場合に前記ユーザの表示用データ管理手段に前記コンテンツの表示指示をコンテキスト合致判断手段が送るステップと、前記コンテキスト合致判断手段から表示指示を受信して情報表示部にて前記コンテンツを表示することを表示用データ管理手段が指示するステップと、を有する。
【００１１】
また、請求項２に記載の本発明は、ユーザの状況に応じたコンテンツを該ユーザへ公開し提供するための情報提供方法であって、前記コンテンツと、および該コンテンツの公開の開始／終了のタイミングを表すコンテンツ公開開始／終了条件と、を含むコンテンツ情報をコンテンツ情報蓄積手段に蓄積するステップと、前記公開する前記ユーザの同伴者、該ユーザの現在地、前記現在地の天候、現在時刻、のうちの少なくとも一つを含むユーザ状況情報をコンテキスト収集手段により収集するステップと、前記コンテンツの公開終了条件と前記ユーザ状況情報との合致の有無を判定し、該判定が合致の場合に前記ユーザの表示用データ管理手段に前記コンテンツの非表示指示をコンテキスト合致判断手段が送るステップと、前記コンテキスト合致判断手段から非表示指示を受信して情報表示部にて前記コンテンツを非表示とすることを表示用データ管理手段が指示するステップと、を有する。
【００１２】
また、請求項３に記載の本発明は、請求項１または２のいずれかにおいて、前記コンテンツ情報は、前記コンテンツを公開する対象となる前記ユーザの条件として公開先情報を含み、前記ユーザの属するユーザ属性情報をユーザ情報管理手段が蓄積し管理するステップと、前記ユーザ属性情報と前記公開先情報の合致を判断して該コンテンツを公開する対象となる前記ユーザを前記コンテキスト合致判断手段が決定するステップと、を含む。
【００１３】
また、請求項４に記載の本発明は、請求項１〜３のいずれかにおいて、前記コンテンツは、前記公開に伴い前記ユーザにより確認されたか否かの有無がコンテンツ確認監視手段によって監視され、該コンテンツが確認されていない場合に、確認の有無を示すユーザ確認情報が無であることを確認ログ管理手段に保存するステップと、前記コンテキスト合致判断手段は前記ユーザ確認情報を取得し、該ユーザ確認情報が無であって、且つ前記コンテンツの公開開始とユーザ状況情報が合致する場合において、前記表示用データ管理手段にコンテンツ情報を再表示するための表示指示を送るステップと、を含む。
【００１４】
また、請求項５に記載の本発明は、請求項１〜４のいずれかにおいて、前記ユーザからの前記コンテンツの再表示の要求の有無を示すコンテンツ再表示要求情報を受信し、リマインダ要求受信手段によってコンテンツ再表示要求情報管理手段に保存するステップと、前記コンテキスト合致判断手段が前記コンテンツの表示可否を判断する際に、前記コンテンツ再表示要求情報管理手段に前記コンテンツ再表示要求情報の有無を確認し、該コンテンツに対する前記コンテンツ再表示要求情報が有で、且つ前記コンテンツの公開開始と前記コンテキスト収集手段により収集した前記ユーザ状況情報とが合致した場合に、前記表示用データ管理手段にコンテンツ情報を再表示するための表示指示を送るステップと、を含む。
【００１５】
また、請求項６に記載の本発明は、請求項１〜５のいずれかにおいて、前記表示指示は、前記コンテンツの表示を許容する情報である表示フラグ情報を含む。
【００１６】
また、請求項７に記載の本発明は、請求項１〜５のいずれかにおいて、前記非表示指示は、前記コンテンツの表示を許容する情報である表示フラグの削除を含む。
【００１７】
また、請求項８に記載の本発明は、請求項１〜５のいずれかにおいて、前記非表示指示は、前記コンテンツの削除を含む。
【００１８】
また、請求項９に記載の本発明は、請求項１〜８のいずれかにおいて、前記コンテンツは、広告情報である。
【００１９】
また、請求項１０に記載の本発明は、請求項９において、前記広告情報は、電子クーポンを含む。
【００２０】
また、請求項１１に記載の本発明は、ユーザの状況に応じたコンテンツを該ユーザへ公開し提供するための情報提供システムであって、前記コンテンツと、および該コンテンツの公開の開始／終了のタイミングを表すコンテンツ公開開始／終了条件と、を含むコンテンツ情報を蓄積するコンテンツ情報蓄積手段と、前記公開する前記ユーザの同伴者、該ユーザの現在地、前記現在地の天候、現在時刻、のうちの少なくとも一つを含むユーザ状況情報を収集するコンテキスト収集手段と、前記コンテンツの公開開始条件と前記ユーザ状況情報との合致の有無を判定し、該判定が合致の場合に前記ユーザの表示用データ管理手段に前記コンテンツの表示指示を送るコンテキスト合致判断手段と、前記コンテキスト合致判断手段から表示指示を受信して情報表示部にて前記コンテンツを表示することを指示する表示用データ管理手段と、を備える。
【００２１】
また、請求項１２に記載の本発明は、ユーザの状況に応じたコンテンツを該ユーザへ公開し提供するための情報提供システムであって、前記コンテンツと、および該コンテンツの公開の開始／終了のタイミングを表すコンテンツ公開開始／終了条件と、を含むコンテンツ情報を蓄積するコンテンツ情報蓄積手段と、前記公開する前記ユーザの同伴者、該ユーザの現在地、前記現在地の天候、現在時刻、のうちの少なくとも一つを含むユーザ状況情報を収集するコンテキスト収集手段と、前記コンテンツの公開終了条件と前記ユーザ状況情報との合致の有無を判定し、該判定が合致の場合に前記ユーザの表示用データ管理手段に前記コンテンツの非表示指示を送るコンテキスト合致判断手段と、前記コンテキスト合致判断手段から非表示指示を受信して情報表示部にて前記コンテンツを非表示とすることを指示する表示用データ管理手段と、を備える。
【００２２】
また、請求項１３に記載の本発明は、請求項１１または１２のいずれかにおいて、前記コンテンツ情報は、前記コンテンツを公開する対象となる前記ユーザの条件として公開先情報を含み、前記ユーザの属するユーザ属性情報を蓄積し管理するユーザ情報管理手段と、前記ユーザ属性情報と前記公開先情報の合致を判断して該コンテンツを公開する対象となる前記ユーザを決定する前記コンテキスト合致判断手段と、を備える。
【００２３】
また、請求項１４に記載の本発明は、請求項１１〜１３のいずれかにおいて、前記コンテンツは、前記公開に伴い前記ユーザにより確認されたか否かの有無がコンテンツ確認監視手段によって監視され、該コンテンツが確認されていない場合に、確認の有無を示すユーザ確認情報が無であることを保存する確認ログ管理手段と、前記ユーザ確認情報を取得し、該ユーザ確認情報が無であって、且つ前記コンテンツの公開開始とユーザ状況情報が合致する場合において、前記表示用データ管理手段にコンテンツ情報を再表示するための表示指示を送る前記コンテキスト合致判断手段と、を備える。
【００２４】
また、請求項１５に記載の本発明は、請求項１１〜１４のいずれかにおいて、前記ユーザからの前記コンテンツの再表示の要求の有無を示すコンテンツ再表示要求情報を受信し、コンテンツ再表示要求情報管理手段に保存するリマインダ要求受信手段と、前記コンテンツの表示可否を判断する際に、前記コンテンツ再表示要求情報管理手段に前記コンテンツ再表示要求情報の有無を確認し、該コンテンツに対する前記コンテンツ再表示要求情報が有で、且つ前記コンテンツの公開開始と前記コンテキスト収集手段により収集した前記ユーザ状況情報とが合致した場合に、前記表示用データ管理手段にコンテンツ情報を再表示するための表示指示を送る前記コンテキスト合致判断手段と、を備える。
【００２５】
また、請求項１６に記載の本発明は、請求項１１〜１５のいずれかにおいて、前記表示指示は、前記コンテンツの表示を許容する情報である表示フラグ情報を含む。
【００２６】
また、請求項１７に記載の本発明は、請求項１１〜１５のいずれかにおいて、前記非表示指示は、前記コンテンツの表示を許容する情報である表示フラグの削除を含む。
【００２７】
また、請求項１８に記載の本発明は、請求項１１〜１５のいずれかにおいて、前記非表示指示は、前記コンテンツの削除を含む。
【００２８】
また、請求項１９に記載の本発明は、請求項１１〜１８のいずれかにおいて、前記コンテンツは、広告情報である。
【００２９】
また、請求項２０に記載の本発明は、請求項１９において、前記広告情報は、電子クーポンを含む。
【００３０】
また、請求項２１に記載の本発明は、ユーザの状況に応じたコンテンツを該ユーザへ公開し提供するための情報提供プログラムであって、前記コンテンツと、および該コンテンツの公開の開始／終了のタイミングを表すコンテンツ公開開始／終了条件と、を含むコンテンツ情報をコンテンツ情報蓄積手段に蓄積するステップと、前記公開する前記ユーザの同伴者、該ユーザの現在地、前記現在地の天候、現在時刻、のうちの少なくとも一つを含むユーザ状況情報をコンテキスト収集手段により収集するステップと、前記コンテンツの公開開始条件と前記ユーザ状況情報との合致の有無を判定し、該判定が合致の場合に前記ユーザの表示用データ管理手段に前記コンテンツの表示指示をコンテキスト合致判断手段が送るステップと、前記コンテキスト合致判断手段から表示指示を受信して情報表示部にて前記コンテンツを表示することを表示用データ管理手段が指示するステップと、を有する。
【００３１】
また、請求項２２に記載の本発明は、ユーザの状況に応じたコンテンツを該ユーザへ公開し提供するための情報提供プログラムであって、前記コンテンツと、および該コンテンツの公開の開始／終了のタイミングを表すコンテンツ公開開始／終了条件と、を含むコンテンツ情報をコンテンツ情報蓄積手段に蓄積するステップと、前記公開する前記ユーザの同伴者、該ユーザの現在地、前記現在地の天候、現在時刻、のうちの少なくとも一つを含むユーザ状況情報をコンテキスト収集手段により収集するステップと、前記コンテンツの公開終了条件と前記ユーザ状況情報との合致の有無を判定し、該判定が合致の場合に前記ユーザの表示用データ管理手段に前記コンテンツの非表示指示をコンテキスト合致判断手段が送るステップと、前記コンテキスト合致判断手段から非表示指示を受信して情報表示部にて前記コンテンツを非表示とすることを表示用データ管理手段が指示するステップと、を有する。
【００３２】
また、請求項２３に記載の本発明は、請求項２１または２２のいずれかにおいて、前記コンテンツ情報は、前記コンテンツを公開する対象となる前記ユーザの条件として公開先情報を含み、前記ユーザの属するユーザ属性情報をユーザ情報管理手段が蓄積し管理するステップと、前記ユーザ属性情報と前記公開先情報の合致を判断して該コンテンツを公開する対象となる前記ユーザを前記コンテキスト合致判断手段が決定するステップと、を含む。
【００３３】
また、請求項２４に記載の本発明は、請求項２１〜２３のいずれかにおいて、前記コンテンツは、前記公開に伴い前記ユーザにより確認されたか否かの有無がコンテンツ確認監視手段によって監視され、該コンテンツが確認されていない場合に、確認の有無を示すユーザ確認情報が無であることを確認ログ管理手段に保存するステップと、前記コンテキスト合致判断手段は前記ユーザ確認情報を取得し、該ユーザ確認情報が無であって、且つ前記コンテンツの公開開始とユーザ状況情報が合致する場合において、前記表示用データ管理手段にコンテンツ情報を再表示するための表示指示を送るステップと、を含む。
【００３４】
また、請求項２５に記載の本発明は、請求項２１〜２４のいずれかにおいて、前記ユーザからの前記コンテンツの再表示の要求の有無を示すコンテンツ再表示要求情報を受信し、リマインダ要求受信手段によってコンテンツ再表示要求情報管理手段に保存するステップと、前記コンテキスト合致判断手段が前記コンテンツの表示可否を判断する際に、前記コンテンツ再表示要求情報管理手段に前記コンテンツ再表示要求情報の有無を確認し、該コンテンツに対する前記コンテンツ再表示要求情報が有で、且つ前記コンテンツの公開開始と前記コンテキスト収集手段により収集した前記ユーザ状況情報とが合致した場合に、前記表示用データ管理手段にコンテンツ情報を再表示するための表示指示を送るステップと、を含む。
【００３５】
また、請求項２６に記載の本発明は、請求項２１〜２５のいずれかにおいて、前記表示指示は、前記コンテンツの表示を許容する情報である表示フラグ情報を含む。
【００３６】
また、請求項２７に記載の本発明は、請求項２１〜２５のいずれかにおいて、前記非表示指示は、前記コンテンツの表示を許容する情報である表示フラグの削除を含む。
【００３７】
また、請求項２８に記載の本発明は、請求項２１〜２５のいずれかにおいて、前記非表示指示は、前記コンテンツの削除を含む。
【００３８】
また、請求項２９に記載の本発明は、請求項２１〜２８のいずれかにおいて、前記コンテンツは、広告情報である。
【００３９】
また、請求項３０に記載の本発明は、請求項２９において、前記広告情報は、電子クーポンを含む。
【００４０】
また、請求項３１に記載の本発明は、請求項２１〜３０のいずれかにおいて、ネットワーク上に配置されたサーバにインストールして実行可能である。
【００４１】
また、請求項３２に記載の本発明は、請求項２１〜３１のいずれかに記載の情報提供プログラムを記録する。
【発明の効果】
【００４２】
本発明によれば、本発明は、情報受信者に係る状況に合わせて提供する情報を変更することができ、もって、情報受信者の状況に合った情報提供が可能な情報提供方法およびシステム、プログラムおよび記録媒体を提供することができる。
【発明を実施するための最良の形態】
【００４３】
以下、図面を参照して本発明の実施の形態を詳細に説明する。また、以下の説明は、本発明の理解を助けるものであって、特許請求の範囲を制限するものではない。
【００４４】
図１は、本発明の第１および第２の実施の形態によるコンテンツ管理システムの構成を説明するための説明図である。この図１には、ユーザ端末１と、このユーザ端末１に含まれる携帯電話やＰＨＳなどの携帯電話端末７、パーソナルデジタルアシスタンス（ＰＤＡ）８、パーソナルコンピュータ９である。
【００４５】
また、位置発信ディバイス６は、ユーザの物理的な位置情報を発信するディバイスであり、ＲＦＩＤ（Ｒａｄｉｏ  Ｆｒｅｑｕｅｎｃｙ  ＩＤｅｎｔｉｆｉｃａｔｉｏｎ）無線タグや携帯型の小型ＰＨＳ、ＧＰＳなどを利用する場合が想定されるものである。位置情報発信ディバイス６にＰＨＳを利用する場合には、ＰＨＳの基地局情報を位置情報として利用できるものである。
【００４６】
また、位置情報発信ディバイス６にＲＦＩＤタグリーダ機能を有し、各地に設置されたタグ情報を読み、読み込んだタグ情報を位置情報として利用できるものである（この他、位置情報発信ディバイス６が各地に設置された状況においては、利用者に付与されたタグ情報を読み取った位置情報発信ディバイス６の設置位置を位置情報として利用してもよい）。
【００４７】
さらに、位置情報発信ディバイス６とユーザ端末１は、物理的に別の装置であってもよく、あるいはＧＰＳ搭載携帯電話のように物理的に同一の装置に組み込まれていてもよい。
【００４８】
また、位置情報発信ディバイス６から送信される位置情報をもとに、同伴者やその場所への訪問履歴などの状況（コンテキスト情報）を生成し、その状況に基づいてユーザ端末１に情報を配信する情報配信サーバ２と、ネットワーク上で各種Ｗｅｂ情報等を提供しているサーバ３と、移動通信網４と、インターネットや専用線などに代表される通信ネットワーク５と、が示されている。
【００４９】
＜第１の実施の形態＞
図２は、本発明の第１の実施の形態による情報配信システムの内部モジュールの構成をさらに詳細に説明した図である。
【００５０】
ユーザ端末１は、情報配信サーバ２と、各種情報サイト３などと通信ネットワーク５を介して情報の送受信を行う情報送受信部１０と、情報配信サーバ２から受信したコンテンツ情報を液晶等の表示ディバイス（ディスプレイ）に表示する情報表示部１１と、コンテンツ情報の再表示要求を行うリマイダ要求受信部１２と、情報配信サーバ２から受信したコンテンツをユーザが確認するかどうかを監視するコンテンツ確認監視部１３と、ユーザ端末１に配信された情報を管理する表示用データ管理部１４と、内部構成を互いに接続するネットワーク５１と、からなる。なお、ネットワーク５１は、ユーザ端末１の構成によっては省略してもよい。
【００５１】
情報配信サーバ２は、ユーザ端末１と各種情報サイト３などとの通信を通信ネットワーク５を介して行うための情報送受信部２０と、特定時点の位置情報や天候などのコンテキスト情報を収集し収集されたコンテキスト情報を蓄積し、さらに収集したコンテキスト情報からユーザの同伴者などのコンテキストを加工・生成するコンテキスト情報収集・加工・管理部２１と、ユーザの識別子やパスワード、性別などのユーザプロファイル情報を管理するユーザ情報管理部２２と、内部構成を互いに接続するネットワーク５０と、からなる。なお、ネットワーク５０は、情報配信サーバ２の構成によっては省略してもよい。
【００５２】
さらに、ユーザを取り巻くコンテキストとコンテンツの表示条件、削除条件とのマッチングを行なう中央処理部２３と、ユーザに配信する情報を管理するコンテンツ情報管理部２４と、ユーザ端末１に配信した情報のユーザ確認の有無を管理する確認ログ管理部２５と、ユーザ端末１に配信中の情報を管理する表示用データ管理部２６と、ユーザからの要求により状況に合ったときに再送信すべき情報を管理するコンテンツ再表示要求情報管理部２７からなる。
【００５３】
また、図２に示すシステム構成は、論理的な機能構成図であるため、情報配信サーバ２とユーザ端末１の各機能モジュール部は、物理的に１つからなる装置の他、複数の装置がネットワークに接続されたシステムなどのいずれの構成であってもよい。たとえば、上記各部をＣＯＲＢＡ、ＨＴＴＰ、Ｓｏｃｋｅｔ、ｓｍｔｐやＴＣＰ／ＩＰなどの通信プロトコルを用いて、物理的に別サーバに分散配備することも可能である。
【００５４】
次に各種機能部で管理されるデータについて、詳しく説明する。
【００５５】
まず、図３は、コンテキスト情報収集・加工・管理部２１で管理される、ユーザのコンテキスト情報を示しており、具体的には、緯度経度、最寄り駅、日時、ユーザＩＤ、同伴者人数、同伴者、天候、訪問頻度などの情報を備えるものである。
【００５６】
なお、緯度・経度は、位置情報発信ディバイス６から取得した位置情報をもとに設定されるものであり、日時には、コンテキストを収集した日時が付与される。また、最寄駅に関しては、駅の位置情報を提供しているＷｅｂサーバ３などの情報と、位置情報発信ディバイス６から取得した現在位置情報から算出して設定されるものである。
【００５７】
また、同伴者および同伴者人数に関してはユーザと一定の関係（たとえば友人や恋人などの関係）にあるユーザの情報（たとえばユーザＩＤ、位置情報発信ディバイス６のＩＰアドレスやＰＨＳ番号など）を予め登録しておき、これらのユーザの位置情報をそれぞれ取得して、一定期間ユーザ間の距離が一定の距離以内であるときは同伴していると判断し、どのような関係のユーザを同伴しているか、何人同伴しているかを把握するものである。
【００５８】
また、天候に関しては、取得したユーザの位置情報をもとに、そのエリアの天候情報を提供しているＷｅｂサーバ３などからの取得するものである。また、訪問頻度は、ユーザの位置情報の履歴を分析することにより、算出されるものである。
【００５９】
次に、図４は、ユーザ情報管理部２２で管理されるユーザの加入サービスを表しており、具体的には、ユーザＩＤとそのユーザが受信する権利のあるサービスのＩＤの対応が管理されている。ユーザＩＤは、ユーザをユニークに特定するＩＤである。サービスＩＤは、複数ある情報、サービスの中から、ユーザが受信可能な情報群、サービスをユニークに特定するためのＩＤである。
【００６０】
次に、図５は、ユーザ情報管理部２２で管理されるユーザプロファイル情報を示しており、たとえばユーザＩＤ、パスワード、性別、年代（年齢）、そのユーザと一定の関係をもつユーザ（たとえば友達、家族など）のユーザＩＤ、端末のＩＰアドレス、メールアドレス等が設定されている。
【００６１】
次に、図６は、コンテンツ情報管理部２４で管理されるコンテンツ配信条件情報を表しており、具体的には、サービスＩＤ、コンテンツＩＤ、場所、同伴者、同伴者人数、訪問頻度、天候、年代（年齢）、性別、有効期限などを備えるものである。
【００６２】
コンテンツＩＤは、ユーザ端末に配信する情報の最小単位で、配信情報をユニークに特定するためのＩＤである。年代、性別は、配信対象ユーザのユーザプロファイルを示す情報である。有効期限は、情報配信が可能な期限を表す。
【００６３】
次に、図７は、表示用データ管理部２６で管理するユーザ端末へのコンテンツ配信状況を管理しており、具体的には、項目としてユーザＩＤ、コンテンツＩＤ、配信日時を管理している。配信日時は、情報がダウンロードされた日時が設定される。
【００６４】
次に、図８は、確認ログ管理部２５で管理するユーザ確認済みのコンテンツを管理しており、具体的には、項目としてユーザＩＤとユーザが確認した情報を示すコンテンツＩＤ、ユーザが情報を確認した日時を示す、確認日時からなる。
【００６５】
次に、図９は、コンテンツ再表示要求情報管理部２７で管理されるユーザからのリマインダ要求情報を管理しており、具体的には、項目として、ユーザＩＤと、リマインダ要求を行ったコンテンツＩＤと、リマインダ要求を行った日時を示す、リマインダ要求日時情報からなる。
【００６６】
次に、図１０に示されるコンテンツ削除条件は、コンテンツをユーザ端末１から削除する契機を示すコンテキスト情報である。具体的には、削除対象のコンテンツをユニークに特定するコンテンツＩＤ、削除するコンテンツの削除条件を示す場所、同伴者、同伴者人数、訪問頻度、天候、有効期限などを少なくとも備えるものである。
【００６７】
図１１は、第１の実施の形態における、情報配信シーケンスの一例である。以下（Ｓ○）で示されるのは、本実施例で示す各モジュール間の信号を示す。
【００６８】
たとえば位置発信ディバイス６からの位置情報や、天候情報を提供しているＷｅｂサーバ３からの天候情報などのコンテキスト情報を情報送受信部２０が受信する。（Ｓ１）
受信したコンテキスト情報はコンテキスト収集・加工・管理部２１に送信され（Ｓ２）、蓄積管理される。またこのときコンテキスト情報収集・加工・管理部２１は、ユーザと関係があるユーザの位置情報を情報送受信部２０を経由して取得し、ユーザと一定の関係（たとえば友人や恋人など）をもつ特定ユーザ間の距離を計算し、一定期間一定距離内にいるユーザを同伴者として特定することも可能である。
【００６９】
またユーザが一定期間内にあるエリア内をどの程度訪れているかの行動履歴情報を生成することも可能である。コンテキスト情報収集・加工・管理部２１は、このように生成したユーザのコンテキスト情報をユーザコンテキスト情報（図３を参照）へ格納する。
【００７０】
コンテキスト情報収集・加工・管理部２１は、収集したユーザのコンテキスト情報に変化があった場合、そのことを中央処理部２３に通知（Ｓ３）する。このときユーザのコンテキスト情報そのものを中央処理部２３にあわせて通知してもよいし、別途中央処理部２３がコンテキスト収集・加工・管理部２１に（Ｓ４）収集しても良い。（Ｓ５）
中央処理部２３は、ユーザ情報管理部２２で管理されているユーザ加入サービス（図４を参照）を確認し（Ｓ６）、ユーザが受信可能なサービスＩＤ及び、ユーザプロファイル（図５を参照）で管理されているユーザプロファイル情報（図５を参照）を取得（Ｓ７）する。サービスＩＤは、たとえば、○○雑誌や○○株式情報誌といった単位で付与してもよいし、お友達からの情報といった単位で付与してもよい。
【００７１】
次に、情報配信サーバ２からの情報配信について説明する。
【００７２】
中央処理部２３は、ユーザＩＤ、サービスＩＤ、ユーザプロファイル情報、ユーザの状況をもとに、コンテンツ情報管理部２４のコンテンツ配信条件（図６を参照）を確認し（Ｓ８）、ユーザが受信可能なコンテンツで、なお且つユーザの状況と合致しているものを抽出する（Ｓ９）。
【００７３】
次に、表示用データ管理部２６で管理しているユーザ配信中コンテンツ（図７を参照）からユーザ端末に配信中のコンテンツＩＤを取得し（Ｓ１０）、抽出したコンテンツの中で現在配信中でないコンテンツを抽出する（Ｓ１１）。
【００７４】
中央処理部２３は、通知先ユーザのＩＰアドレスやメールアドレスなどの通知先の情報をユーザ情報管理部２２のユーザプロファイル情報から図５に参照されるユーザプロファイルに確認（Ｓ２０）し、取得（Ｓ２１）する。なお、本処理は（Ｓ６）の処理と同時に行ってもよい。
【００７５】
中央処理部２３はコンテンツ情報管理部２４で取得した情報をユーザ情報管理部２２で取得した通知先の情報に対して配信するよう情報送受信部２０に依頼（Ｓ２２）する。
【００７６】
情報送受信部２０は、たとえば、ＣＯＲＢＡ、ＨＴＴＰ，Ｓｏｃｋｅｔ、ｓｍｔｐやＴＣＰ／ＩＰなどの通信プロトコルを用いて、ユーザ端末１にコンテンツ情報を通知（Ｓ２４）する。（Ｓ２３）、（Ｓ２５）はユーザ端末１からの応答信号である。
【００７７】
通知後、中央処理部２３は、表示用データ管理部２６にあるユーザ配信中コンテンツ図７に配信したユーザＩＤとコンテンツＩＤの対応を記録する。（Ｓ２６）
次に、ユーザ端末２での情報表示について説明する。
【００７８】
図１２はユーザ端末１における情報表示のための内部モジュール間シーケンスを示す。情報送受信部１０が受信したコンテンツは表示用データ管理部１４に通知される（Ｓ３０）。表示用データ管理部１４は、受信したコンテンツを保存し、情報表示部１１にコンテンツの表示を指示する（Ｓ３１）。コンテンツの表示は、図１３（イ）のように受信した情報をそのまま画面に表示してもよいし、図１３（ロ）のように情報そのものを表示するのではなく、情報があることを示すアイコン等を表示しても良い。
【００７９】
なお、表示用データ管理部は受信したコンテンツの保存に際して、既に同じコンテンツが受信・保存されている場合は、保存処理を省略することも可能である。
【００８０】
次に、情報配信サーバ２からの情報削除について説明する。
【００８１】
図１１の点線の枠囲み部分はユーザ端末１に表示中コンテンツの削除手順を示している。中央処理部２３は、表示用データ管理部２６で管理するユーザ配信中コンテンツ（図７を参照）からユーザに配信中のコンテンツを確認し（Ｓ１２）、取得する（Ｓ１３）。それらのコンテンツの中からユーザのコンテキスト状況と、コンテンツ情報管理部２４で管理しているコンテンツ削除条件（図１０を参照）の条件が合致したコンテンツＩＤを要求し（Ｓ１４）、取得する（Ｓ１５）。
【００８２】
以降中央処理部２３は、情報配信時の処理と同様に、削除通知ユーザのＩＰアドレスやメールアドレスなどの通知先の情報をユーザ情報管理部２２に問い合わせ取得（Ｓ２０）する。また、本処理は（Ｓ６）の処理と同時に行ってもよい。
【００８３】
中央処理部２３は情報送受信部２０に、コンテンツ情報管理部２４で取得した情報の削除要求をユーザ情報管理部２２で取得した情報通知先に対して送信するよう依頼（Ｓ２２）する。
【００８４】
情報送受信部２０は、たとえば、ＣＯＲＢＡ、ＨＴＴＰ，Ｓｏｃｋｅｔ、ｓｍｔｐやＴＣＰ／ＩＰなどの通信プロトコルを用いて、ユーザ端末１にコンテンツＩＤを含む削除要求を通知（Ｓ２５）する。（Ｓ２３）、（Ｓ２５）はユーザ端末１からの応答信号である。
【００８５】
通知後、中央処理部２３は、表示用データ管理部２６にあるユーザ配信中コンテンツ（図７を参照）から削除依頼を行ったユーザＩＤとコンテンツＩＤの対応データを削除する（Ｓ２６）。
【００８６】
次に、ユーザ端末１での情報削除について説明する。
【００８７】
図１２の点線の枠囲み部分はユーザ端末１における表示中コンテンツの消去手順を示している。情報送受信部１０が受信した情報削除要求は表示用データ管理部１４に通知される（Ｓ３２）。表示用データ管理部２５は、管理しているコンテンツ情報を削除するか、またはコンテンツは残したまま非表示フラグを立て、情報表示部１１にコンテンツを非表示にするよう依頼する（Ｓ３３）。ユーザが当該コンテンツを閲覧中の場合は閲覧後に削除しても良い。
【００８８】
次に、情報監視について説明する。
【００８９】
図１４はユーザのコンテンツ確認有無を情報配信サーバ２に通知するシーケンスである。
【００９０】
携帯情報端末内のコンテンツ確認監視部１３では、受信したコンテンツ情報をユーザが確認したかどうかを監視する。たとえば図１３（イ）のようにコンテンツ自体が表示されている場合で、ユーザ端末が折りたたみ式携帯端末であれば、ユーザが端末を開いた事によって確認したと把握する。
【００９１】
また、図１３（ロ）のように情報があることを示すアイコン等が表示されている場合は、アイコンを押下し詳細なコンテンツを表示させたことでユーザが情報を確認したと把握する。コンテンツ確認監視部１３がユーザのコンテンツ確認を把握すると（Ｓ３４）、情報送受信部１０を介して情報配信サーバ２の情報送受信部２０にコンテンツ確認有無を通知する（Ｓ３５）。
【００９２】
情報配信サーバ２の情報送受信部２０は、受信したコンテンツ確認有無情報を、中央処理部２３に通知し（Ｓ３６）、中央処理部２３は確認ログ管理部２５の図８に参照されるユーザ確認ログに値を設定する（Ｓ３７）。
【００９３】
なお、上記はユーザのコンテンツ確認履歴を、コンテンツ確認監視部１３が把握する都度情報配信サーバ２に通知する方法を示したが、これとは別に一定期間コンテンツ確認履歴をコンテンツ確認監視部１３が蓄積し、情報配信サーバからのコンテンツ受信契機でまとめて情報配信サーバ２に送信しても良い。
【００９４】
確認ログ管理部２５に蓄積されたコンテンツ確認履歴は、たとえば図１１の実線枠囲み内にあるように、中央処理部２３がユーザ端末１に配信するコンテンツを選択する処理において、一度配信したがユーザが未確認だった情報を優先して選択するなどの処理に活用でき、（Ｓ１６）および（Ｓ１７）に参照される処理である。
【００９５】
本処理により、情報を情報受信者が閲覧したかどうかを確認し、未閲覧の情報については状況にあわせて再度表示することができる。これにより情報受信者にとって新鮮な情報の提供を実現する。
【００９６】
次に、リマインダ機能について説明する。
【００９７】
ユーザ端末１の表示されているコンテンツを選択して、後日又は次回同じ状況となったときに再表示することをユーザが要求する（リマインダ指定する）こともできる。
【００９８】
図１５はユーザがリマインダ指定したコンテンツを情報配信サーバ２に通知するシーケンス図である。
【００９９】
リマインダ要求受信部１２は、ユーザがボタンやタップやマウスなどのユーザ端末１の入出力ディバイスを利用してリマインダ指定したコンテンツＩＤを特定する。
【０１００】
リマインダ指定されたコンテンツの再表示要求は、ユーザ端末１の情報送受信部１０を介して（Ｓ３８）情報配信サーバ２の情報送受信部２０に送信される（Ｓ３９）。情報送受信部２０が受信したコンテンツの再表示要求は、中央処理部２３を介して（Ｓ４０）コンテンツ再表示要求情報管理部２００のリマインダコンテンツ図９にユーザＩＤ及びリマインダ要求されたコンテンツＩＤと共に格納される（Ｓ４１）。
【０１０１】
なお、上記はコンテンツ再表示要求を、リマインダ要求受信部１２が把握する都度情報配信サーバ２に通知する手法を示したが、これとは別に一定期間コンテンツ再表示要求をリマインダ要求受信部１２が蓄積し、情報配信サーバ２からのコンテンツ受信契機でまとめて情報配信サーバ２に送信してもよい。
【０１０２】
また、リマインダコンテンツ（図９を参照）のデータは、ユーザがコンテンツを再度確認した契機で削除しても良いし、ユーザが陽に再表示要求の解除を指定しない限り削除しなくても良い。
【０１０３】
コンテンツ再表示要求情報管理部２７に蓄積されたコンテンツ再表示要求は、たとえば図１１の二重線枠組み内にあるように、中央処理部２３がユーザ端末１に配信するコンテンツを選択する処理において、一度配信したがユーザ再度表示を要求している情報を優先して選択するなどの処理に活用でき、（Ｓ１８）および（Ｓ１９）に参照される処理である。
【０１０４】
＜第２の実施の形態＞
これまで述べた第１の実施の形態において、情報配信サーバ２が実施していた機能の一部を、ユーザ端末１で実施する場合を第２の実施の形態として以下に説明する。
【０１０５】
図１６は、本発明の実施の形態による情報配信システムの内部モジュール構成をさらに詳細に説明した構成図である。
【０１０６】
ユーザ端末１は、情報配信サーバ２と、Ｗｅｂサーバ３などと通信ネットワーク５を介して情報の送受信を行う情報送受信部１０と、特定時点のユーザの位置情報や天候などのコンテキスト情報を収集し、収集されたコンテキスト情報を蓄積し、さらに収集したコンテキスト情報からユーザの同伴者などのコンテキストを加工・生成するコンテキスト情報収集・加工・管理部３０と、情報配信サーバ２から受信したコンテンツ情報を液晶等の表示ディバイス（ディスプレイ）に表示する情報表示部１１と、を有している。
【０１０７】
また、コンテンツ情報の再表示要求を行うリマイダ要求受信部１２と、情報配信サーバ２から受信したコンテンツをユーザが確認するかどうかを監視するコンテンツ確認監視部１３と、ユーザを取り巻くコンテキストとコンテンツの受信表示の削除条件とのマッチングを判断する中央処理部３１と、情報配信サーバ２から受信した情報のユーザ確認の有無を管理する確認ログ管理部３２と、ユーザ端末１に配信中された情報を管理する表示用データ管理部１４と、ユーザからの要求により状況に合ったときに情報配信サーバ２から受信した情報をユーザ端末に再表示すべき情報かどうかを管理するコンテンツ再表示要求情報管理部２６と、ユーザに配信する情報を管理するコンテンツ情報管理部３４と、を有している。
【０１０８】
情報配信サーバ２は、ユーザ端末１とＷｅｂサーバ３などとの通信のために通信ネットワーク５を介した通信を行う情報送受信部２０と、ユーザの識別子やパスワード、性別などのユーザプロファイル情報を管理するユーザ情報管理部２２と、中央処理部２３と、ユーザに配信する情報を管理するコンテンツ情報管理部２４と、からなる。
【０１０９】
さらに、図１６に示すシステム構成は、論理的な機能構成図であるため、情報配信サーバ２と、ユーザ端末１の各機能モジュール部は、物理的に１つからなる装置の他、複数の装置がネットワークに接続されたシステムなどのいずれの構成であってもよい。たとえば、上記各部をＣＯＲＢＡ、ＨＴＴＰ、Ｓｏｃｋｅｔ、ｓｍｔｐやＴＣＰ／ＩＰなどの通信プロトコルを用いて、物理的に別サーバに分散配備することも可能である。
【０１１０】
次に各種機能部で管理されるデータについて第１の実施の形態との差分を中心に詳しく説明する。
【０１１１】
図３に示されるユーザのコンテキスト情報は、本実施の形態においてはユーザ端末１のコンテキスト情報収集・加工・管理部３０で管理される。具体的には、緯度経度、最寄り駅、日時、同伴者人数、同伴者、天候、訪問頻度などの情報を備えるものである。
【０１１２】
なお、緯度・経度は、ユーザ端末に搭載されているＧＰＳなどの位置情報発信ディバイスから取得した位置情報をもとに設定されるものであり、日時には、コンテキストを収集した日時が付与される。また、最寄駅に関しては、駅の位置情報を提供しているＷｅｂサーバ３などの情報を情報送受信部１０を介して取得し、位置情報発信ディバイスから取得した現在位置情報から算出して設定されるものである。
【０１１３】
また、同伴者および同伴者人数に関してはユーザと一定の関係（たとえば友人や恋人などの関係）にあるユーザの情報（たとえばユーザＩＤ、位置情報発信ディバイスを搭載した携帯電話の番号など）を予め登録しておき、これらのユーザ位置情報を端末間のＰ２Ｐ通信などを用いて取得し、一定期間ユーザ間の距離が一定の距離以内であるときは同伴していると判断し、どのような関係のユーザを同伴しているか、何人同伴しているかを把握するものである。
【０１１４】
また、天候に関しては、取得したユーザの位置情報をもとに、情報送受信部１０を介してそのエリアの天候情報を提供しているＷｅｂサーバ３などからの取得するものである。また、訪問頻度は、ユーザの位置情報の履歴を分析することにより、算出されるものである。
【０１１５】
図８に示されるユーザ確認済みコンテンツ情報は、本実施の形態においてはユーザ端末１の確認ログ管理部３２で管理される。具体的には、項目としてユーザＩＤとユーザが確認した情報を示すコンテンツＩＤ、ユーザが情報を確認した日時を示す確認日時からなる。
【０１１６】
図９に示されるユーザからのリマインダ要求情報は、本実施の形態においてはユーザ端末１のコンテンツ再表示要求情報管理部３３で管理される。具体的には、項目として、ユーザＩＤと、リマインダ要求を行ったコンテンツＩＤと、リマインダ要求を行った日時を示す、リマインダ要求日時情報からなる。
【０１１７】
図１０に示されるコンテンツ削除条件は、コンテンツをユーザ端末１から削除する契機を示すコンテキスト情報である。本実施の形態においては情報配信サーバ２のコンテンツ情報管理部２４に加えて、ユーザ端末１のコンテンツ情報管理部３４で管理される。具体的には、削除対象のコンテンツをユニークに特定するコンテンツＩＤ、削除するコンテンツの削除条件を示す場所、同伴者、同伴者人数、訪問頻度、天候、有効期限などを少なくとも備えるものである。
【０１１８】
図１７は、本実施例における情報配信シーケンス例である。
【０１１９】
たとえばユーザ端末１に搭載されているＧＰＳなどの位置発信ディバイスからの位置情報や、天候情報を提供しているＷｅｂサーバ３からの天候情報などのコンテキスト情報を情報送受信部１０が受信する。（Ｓ５０）
受信したコンテキスト情報はコンテキスト収集・加工・管理部２１に送信され（Ｓ５１）、蓄積管理される。またこのときコンテキスト情報収集・加工・管理部３０は、ユーザと関係があるユーザの位置情報を情報送受信部１０を経由して取得し、ユーザと一定の関係（たとえば友人や恋人など）をもつ特定ユーザ間の距離を計算し、一定期間一定距離内にいるユーザを同伴者として特定することも可能である。
【０１２０】
またユーザが一定期間内にあるエリア内をどの程度訪れているかの行動履歴情報を生成することも可能である。コンテキスト情報収集・加工・管理部３０は、このように生成したユーザのコンテキスト情報をユーザコンテキスト情報（図３を参照）へ格納する。
【０１２１】
コンテキスト情報収集・加工・管理部３０は、収集したユーザのコンテキスト情報に変化があった場合、そのことを中央処理部３１に通知（Ｓ５２）する。このときユーザのコンテキスト情報そのものを中央処理部にあわせて通知してもよいし、別途中央処理部がコンテキスト収集・加工・管理部に問い合わせ（Ｓ５３）、収集して（Ｓ５４）も良い。
【０１２２】
次に、情報取得について説明する。
【０１２３】
中央処理部３１は、受信したコンテキスト情報を、ユーザＩＤ・パスワードなどのユーザプロファイルとともに情報送受信部１０を介して情報配信サーバ２に送信する（Ｓ５５）。
【０１２４】
情報送受信部２０は受信した情報を中央処理部２３に転送する。（Ｓ５６）中央処理部２３は、ユーザ情報管理部２２で管理されているユーザプロファイル（図５を参照）を参照してユーザ認証を行い、認証に成功した場合はユーザ加入サービス（図４を参照）を確認（Ｓ５７）し、ユーザが受信可能なサービスＩＤを決定する（Ｓ５８）。
【０１２５】
中央処理部２３は、ユーザＩＤ、サービスＩＤ、ユーザプロファイル情報、ユーザのコンテキスト情報をもとに、コンテンツ情報管理部２４のコンテンツ配信条件（図６を参照）を確認（Ｓ５９）し、ユーザが受信可能なサービスで、なお且つユーザのコンテキストと合致しているコンテンツＩＤを抽出する。また、当該コンテンツＩＤに対する削除条件をコンテンツ削除条件（図１０を参照）から取得する（Ｓ６０）。
【０１２６】
中央処理部２３は、通知先ユーザのＩＰアドレスやメールアドレスなどの通知先の情報をユーザ情報管理部２２のユーザプロファイル情報を確認し（Ｓ６１）、取得（Ｓ６２）する。なお、本処理は（Ｓ５７）の処理と同時に行ってもよい。
【０１２７】
中央処理部２３は上記ステップで取得したコンテンツおよび当該コンテンツに対する削除条件（図１０を参照）をユーザ情報管理部２２で取得したコンテンツ情報通知先に対して配信するよう情報送受信部２０に依頼（Ｓ６３）する。情報送受信部２０は、たとえば、ＣＯＲＢＡ、ＨＴＴＰ、Ｓｏｃｋｅｔ、ｓｍｔｐやＴＣＰ／ＩＰなどの通信プロトコルを用いて、ユーザ端末１にコンテンツ情報を通知（Ｓ６４）する。
【０１２８】
情報送受信部１０は、受信した情報を中央処理部３１に通知する（Ｓ６５）。中央処理部３１は、受信したコンテンツを表示用データ管理部１４に通知する（Ｓ６６）。表示用データ管理部１４は受信したコンテンツを保存し、情報表示部１１にコンテンツの表示を指示する（Ｓ６７）。中央処理部３１は、同時に受信した削除条件表をコンテンツ情報管理部３４に登録する。
【０１２９】
なお、中央処理部３１がコンテキスト情報を情報配信サーバ２に送信する（Ｓ５５）際に、表示用データ管理部１４で管理されているコンテンツＩＤリストをあわせて情報配信サーバ２に通知することで、ユーザ端末で保有しているコンテンツを重複して取得することを避けることも可能である。
【０１３０】
次に、情報削除について説明する。
【０１３１】
図１８に示すのは、ユーザのコンテンツ確認有無に基づくコンテンツ削除のシーケンス図である。
【０１３２】
中央処理部３１は、コンテキスト収集・加工・管理部３０から受信した（Ｓ５２）コンテキスト情報と、コンテンツ情報管理部３４で管理しているコンテンツ削除条件（図１０を参照）の条件に合致しているコンテンツ情報の有無を確認（Ｓ７０）し、取得（Ｓ７１）する。合致しているコンテンツがあれば表示用データ管理部１４に蓄積されているコンテンツを削除する（Ｓ７２）。また、情報表示部１１に表示しているコンテンツを非表示とする（Ｓ７３）。
【０１３３】
なお、表示用データ管理部に蓄積されているコンテンツを削除するかわりに、コンテンツ自体は残したまま非表示フラグをたてることもできる。
【０１３４】
次に、情報監視について説明する。
【０１３５】
図１９に示すのは、ユーザのコンテンツ確認有無を通知するシーケンス図である。
【０１３６】
ユーザ端末１のコンテンツ確認監視部１３では、受信したコンテンツ情報をユーザが確認したかどうかを監視し、その結果を中央処理部３１を介して確認ログ管理部３２に保存通知する（Ｓ７５）。
【０１３７】
中央処理部３１は、情報配信サーバ２から受信したコンテンツの中で一度表示したがユーザが未確認だった情報を優先して選択するなどの処理に活用できる。
【０１３８】
本処理により、情報を情報受信者が閲覧したかどうかを確認し、未閲覧の情報については状況にあわせて再度表示することができる。これにより情報受信者にとって新鮮な情報の提供を実現する。
【０１３９】
次に、リマインダ機能について説明する。
【０１４０】
ユーザ端末１の表示されているコンテンツを選択して、後日又は次回同じ状況になったときに再表示することをユーザが要求する（リマインダ指定する）こともできる。
【０１４１】
リマインダ要求受信部１２は、ユーザがボタンやタップやマウスなどのユーザ端末１の入出力ディバイスを利用してリマインダ指定したコンテンツＩＤを特定する。
【０１４２】
リマインダ指定されたコンテンツの再表示要求は、コンテンツ再表示要求情報管理部３３のリマインダコンテンツ（図９を参照）にユーザＩＤ及びリマインダ要求されたコンテンツＩＤと共に格納される。
【０１４３】
リマインダコンテンツ（図９を参照）のデータは、ユーザがコンテンツを再度確認した契機で削除しても良いし、ユーザが故意に再表示要求の解除を指定しない限り削除しなくても良い。
【０１４４】
コンテンツ再表示要求情報管理部３３に蓄積されたコンテンツ再表示要求は、たとえば、中央処理部３１が情報配信サーバ２から受信したコンテンツの中で、一度表示したがユーザが再度表示を要求している情報を優先して選択するなどの処理に活用できる。
【０１４５】
以上説明してきた実施の形態のコンテンツを、電子クーポンを含む広告情報とすれば、広告主（たとえば飲食店など）が指定した場所、時間、同伴者などの条件にあわせて電子クーポンをユーザに配布することができる。たとえば「お店のすぐ近くにいるカップルだけ、今から３０分限定で割引クーポンを配布する」といったことが可能になる。
【０１４６】
また、ユーザの携帯情報端末に、ユーザの状況に合致した電子クーポンを集めることにより、ユーザが「今だけ、ここだけ」の電子クーポンを簡単に手に入れることが可能になる。
【図面の簡単な説明】
【０１４７】
【図１】本発明の第１および第２の実施の形態のコンテンツ管理システムに係る、全体構成を説明するための説明図である。
【図２】本発明の第１の実施の形態のコンテンツ管理システムに係る、情報配信システムの内部モジュールの構成をさらに詳細に説明するための説明図である。
【図３】本発明の第１および第２の実施の形態のコンテンツ管理システムに係る、ユーザコンテキスト情報の一例を示す。
【図４】本発明の第１および第２の実施の形態のコンテンツ管理システムに係る、ユーザ加入サービスの一例を示す。
【図５】本発明の第１および第２の実施の形態のコンテンツ管理システムに係る、ユーザプロファイルの一例を示す。
【図６】本発明の第１および第２の実施の形態のコンテンツ管理システムに係る、コンテンツの配信条件の一例を示す。
【図７】本発明の第１および第２の実施の形態のコンテンツ管理システムに係る、ユーザ配信中コンテンツの一例を示す。
【図８】本発明の第１および第２の実施の形態のコンテンツ管理システムに係る、ユーザ確認ログ（確認済みの情報）の一例を示す。
【図９】本発明の第１および第２の実施の形態のコンテンツ管理システムに係る、リマインダコンテンツ要求の一例を示す。
【図１０】本発明の第１および第２の実施の形態のコンテンツ管理システムに係る、コンテンツの削除条件を示す。
【図１１】本発明の第１の実施の形態のコンテンツ管理システムに係る、情報配信システムの情報配信シーケンスを説明するためのシーケンス図である。
【図１２】本発明の第１の実施の形態のコンテンツ管理システムに係る、情報配信システムの情報配信シーケンスを説明するためのシーケンス図である。
【図１３】（イ）、（ロ）に示すのは、本発明の第１の実施の形態のコンテンツ管理システムに係る、コンテンツ表示の一例である。
【図１４】本発明の第１の実施の形態のコンテンツ管理システムに係る、情報配信システムの情報配信シーケンスを説明するためのシーケンス図である。
【図１５】本発明の第１の実施の形態のコンテンツ管理システムに係る、情報配信システムの情報配信シーケンスを説明するためのシーケンス図である。
【図１６】本発明の第２の実施の形態のコンテンツ管理システムに係る、情報配信システムの内部モジュールの構成をさらに詳細に説明するための説明図である。
【図１７】本発明の第２の実施の形態のコンテンツ管理システムに係る、情報配信システムの情報配信シーケンスを説明するためのシーケンス図である。
【図１８】本発明の第２の実施の形態のコンテンツ管理システムに係る、情報配信システムの情報配信シーケンスを説明するためのシーケンス図である。
【図１９】本発明の第２の実施の形態のコンテンツ管理システムに係る、情報配信システムの情報配信シーケンスを説明するためのシーケンス図である。
【符号の説明】
【０１４８】
１  ユーザ端末
２  情報配信サーバ
３  Ｗｅｂサーバ
４  移動通信網
５  通信ネットワーク
６  位置発信ディバイス
１０  情報送受信部
１１  情報表示部
１２  リマインダ要求受信部
１３  コンテンツ確認監視部
２０  情報送受信部
２１  コンテキスト収集・加工・管理部
２２  ユーザ情報管理部
２３  中央処理部
２４  コンテンツ情報管理部
２５  確認ログ管理部
２６  表示用データ管理部
２７  コンテンツ再表示要求情報管理部
【図１】
2006065650.tif 000003
【図２】
2006065650.tif 000004
【図３】
2006065650.tif 000005
【図４】
2006065650.tif 000006
【図５】
2006065650.tif 000007
【図６】
2006065650.tif 000008
【図７】
2006065650.tif 000009
【図８】
2006065650.tif 000010
【図９】
2006065650.tif 000011
【図１０】
2006065650.tif 000012
【図１１】
2006065650.tif 000013
【図１２】
2006065650.tif 000014
【図１３】
2006065650.tif 000015
【図１４】
2006065650.tif 000016
【図１５】
2006065650.tif 000017
【図１６】
2006065650.tif 000018
【図１７】
2006065650.tif 000019
【図１８】
2006065650.tif 000020
【図１９】
2006065650.tif 000021